(57)【要約】【課題】  合成樹脂から一体成形されているにも拘らず、容器の搬送時等におけるスコアの偶発的破断を発生せしめることなく、スパウトを開封する際には充分容易にスコアを破断することができるスパウトを提供する。【解決手段】  頂面壁（４）のみならず円筒壁（６）の上端部にも破断スコア（２２、２４）によって規定された切取領域（２０）を形成し、円筒壁（６）に形成された破断スコア（２２、２４）から破断を開始するように構成する。【選択図】  図６
2011173615.tif 000002
【特許請求の範囲】
【請求項１】
円形頂面壁と該頂面壁の周縁から垂下する円筒壁とを有する、合成樹脂から一体に成形されたスパウトにおいて、
該円筒壁の上端部には、周方向に間隔をおいて該頂面壁と該円筒壁の境界域から下方に延びる一対の縦破断スコア間に規定された切取領域が配設されており、
該頂面壁には、該一対の縦破断スコア間を除いて該頂面壁と該円筒壁との該境界域を円弧状に延びる弧状破断ラインによって規定された切取領域が配設されており、
該円筒壁の上端部に規定されている該切取領域には把持片が付設されており、該把持片を把持して変位せしめることによって該一対の縦破断スコア及び該弧状破断スコアを破断することによって、該円筒壁の上端部に規定された該切取領域と該頂面壁に規定された該切取領域とが一体に切り取られる、
ことを特徴とするスパウト。
【請求項２】
該円筒壁の上端部には、外周面を局部的に平坦面にせしめることによって生成され周方向中心に向かって厚さが漸次減少する薄肉領域が配設されており、該一対の縦破断スコアは該薄肉領域に形成されている、請求項１記載のスパウト。
【請求項３】
該把持片は該円筒壁の上端部に規定された該切取領域の外周面に接続された接続部から下方に延びる垂下片から構成されている、請求項１又は２に記載のスパウト。
【請求項４】
該把持片は該円筒壁の上端部外周面に沿って延在し且つ該円筒壁の上端部に規定された該切取領域に対向して位置する部分の内周面が該円筒壁の上端部に規定された該切取領域に接続されているリングから構成されている、請求項１又は２に記載のスパウト。
【請求項５】
該一対の縦破断スコアの一方の上端から該頂面壁内に延出する付加破断スコアが形成されている、請求項１から４までのいずれかに記載のスパウト。
【発明の詳細な説明】
【技術分野】
【０００１】
本発明は、パウチと称されている合成樹脂フィルム製容器に好適に適用することができるスパウト（注出口）に関する。
【背景技術】
【０００２】
周知の如く、詰め替え用各種洗浄液のための容器としてパウチが広く実用に供されている。そして、かかるパウチに適用されるスパウトとして、開封した後の再シ−ルが不必要である点に鑑み、下記特許文献１に開示されている如く、安価に製作することができる一体成形パウチ、即ち低密度ポリエチレンの如き適宜の合成樹脂から一体に成形されたスパウト、が提案されている。かかるスパウトは円形頂面壁とこの頂面壁の周縁から垂下する円筒壁とを有し、頂面壁にはその周縁に沿って延在する円形スコアが形成され、そして更に頂面壁の上面には連結筒を介して円形把持片が接続されている。スパウトを開封して内容液を排出する際には、把持片を把持して頂面壁に形成されている円形スコアに応力を生成して円形スコアを破断し、頂面壁及びこれに接続された把持片を除去して円筒壁の上面を開口する。
【先行技術文献】
【特許文献】
【０００３】
【特許文献１】特開２００４−２１０３２１号公報
【発明の概要】
【発明が解決しようとする課題】
【０００４】
而して、本発明者等の経験によれば、合成樹脂から一体に成形された従来のスパウトには、把持片を把持して円形スコアを破断する時に、特に円形スコアの破断開始時に、相当大きな力を要し、スパウトの開封が必ずしも容易でない、という解決すべき問題が存在する。かかる問題を解決するためには、円形スコアの残留厚さを著しく小さく設定することが意図されるが、円形スコアの残留厚さを著しく小さく設定すると、容器の搬送の際等に円形スコアが偶発的に破断されてしまう虞がある。
【０００５】
本発明は上記事実に鑑みてなされたものであり、その主たる技術的課題は、合成樹脂から一体成形されているにも拘らず、容器の搬送時等におけるスコアの偶発的破断を発生せしめることなく、スパウトを開封する際には充分容易にスコアを破断することができる、新規かつ改良されたスパウトを提供することである。
【課題を解決するための手段】
【０００６】
本発明者等は、鋭意研究及び実験の結果、上述したとおりの従来のスパウトにおいては破断すべきスコアが単純な円形である故に破断開始に相当大きな力を要することを認識し、そしてかかる認識に基づき、頂面壁のみならず円筒壁の上端部にも破断スコアによって規定された切取領域を形成し、円筒壁に形成された破断スコアから破断を開始するようになすことによって、上記主たる技術的課題を達成することができることを見出した。
【０００７】
即ち、本発明によれば、上記主たる技術的課題を達成するスパウトとして、円形頂面壁と該頂面壁の周縁から垂下する円筒壁とを有する、合成樹脂から一体に成形されたスパウトにおいて、
該円筒壁の上端部には、周方向に間隔をおいて該頂面壁と該円筒壁の境界域から下方に延びる一対の縦破断スコア間に規定された切取領域が配設されており、
該頂面壁には、該一対の縦破断スコア間を除いて該頂面壁と該円筒壁との該境界域を円弧状に延びる弧状破断ラインによって規定された切取領域が配設されており、
該円筒壁の上端部に規定されている該切取領域には把持片が付設されており、該把持片を把持して変位せしめることによって該一対の縦破断スコア及び該弧状破断スコアを破断することによって、該円筒壁の上端部に規定された該切取領域と該頂面壁に規定された該切取領域とが一体に切り取られる、
ことを特徴とするスパウトが提供される。
【０００８】
好ましくは、該円筒壁の上端部には、外周面を局部的に平坦面にせしめることによって生成され周方向中心に向かって厚さが漸次減少する薄肉領域が配設されており、該一対の縦破断スコアは該薄肉領域に形成されている。該把持片は該円筒壁の上端部に規定された該切取領域の外周面に接続された接続部から下方に延びる垂下片から構成、或いは該円筒壁の上端部外周面に沿って延在し且つ該円筒壁の上端部に規定された該切取領域に対向して位置する部分の内周面が該円筒壁の上端部に規定された該切取領域に接続されているリングから構成されているのが好的である。該一対の縦破断スコアの一方の上端から該頂面壁内に延出する付加破断スコアが形成されているのが好都合である。
【発明の効果】
【０００９】
本発明のスパウトにおいては、応力を集中せしめることができる、円筒壁の上端部に形成されている一対の縦破断スコアから破断が開始される故に、スコアの残留厚さを著しく小さく設定する必要なくして、スコアの破断を充分容易に開始してスパウトを開封することができる。
【図面の簡単な説明】
【００１０】
【図１】本発明に従って構成されたスパウトの好適実施形態を示す斜面図。
【図２】図１に示すスパウトの正面図。
【図３】図１に示すスパウトの側面図。
【図４】図１に示すスパウトの平面図。
【図５】図１に示すスパウトの、図４の線ｖ−ｖに沿った断面図。
【図６】図１に示すスパウトを、破断スコアを破断して開封した状態で示す斜面図。
【図７】本発明に従って構成されたスパウトの変形例を示す平面図。
【図８】本発明に従って構成されたスパウトの他の変形例を示す平面図。
【図９】本発明に従って構成されたスパウトの更に他の変形例を示す平面図。
【図１０】図９に示すスパウトの、図９の線ｘ−ｘに沿った断面図。
【発明を実施するための形態】
【００１１】
以下、本発明に従って構成されたスパウトの好適実施形態を図示している添付図面を参照して、更に詳細に説明する。
【００１２】
図１乃至図５を参照して説明すると、本発明に従って構成された、全体を番号２で示すスパウトは、その全体が軟質ポリエチレンの如き適宜の合成樹脂から一体に射出成形されている。かかるスパウト２は円形頂面壁４とこの頂面壁４の周縁から垂下する円筒壁６とを有する。
【００１３】
円筒壁６の軸線方向中間部の外周には軸線方向に間隔をおいて２個の支持フランジ１０及び１２が形成されている。実質上水平に延在する支持フランジ１０及び１２は菱形の先端部を平行両側縁及び平行両端縁で切断した形状である。支持フランジ１０と支持フランジ１２との間には鉛直に延びる２個の補強片１４及び水平に延びる補強片１６が配設されている。支持フランジ１２よりも下方において、円筒壁６の外周には、支持フランジ１０及び１２と略同一形状で且つ軸線方向に間隔をおいて水平に延在する４個の突出フランジ、鉛直に延びる種々の補強片を含むそれ自体は周知のパウチ装着手段１８も配設されている。
【００１４】
本発明に従って構成されたスパウト２においては、円筒壁６の上端部には切取領域２０が規定されていることが重要である。図２及び図５と共に図６（図６においては後述する縦破断スコア２２、横破断スコア２４及び弧状破断スコア３０が破断された状態を図示している）を参照することによって理解される如く、図示の実施形態においては、２個の縦破断スコア２２と横破断スコア２４によって切取領域２０が規定されている。図６に明確に図示する如く、円筒壁６の上端部における特定角度領域には、外周面を局部的に平坦面にせしめることによって生成され周方向中心に向かって厚さが漸次減少する薄肉領域２６が配設されている。上記縦破断スコア２２及び横破断スコア２４は薄肉領域２６に配設されており、縦破断スコア２２は周方向に間隔をおいて頂面壁４と円筒壁６との境界域から下方に延びており、横破断スコア２４は２個の縦破断スコア２２の下端間を接続している。２個の縦破断スコア２２は下方に向かって相互に接近する方向に傾斜せしめられており、それ故に切取領域２０は下方に向かって周方向幅が漸次低減する略逆台形状であるが、所望ならば２個の縦破断スコア２２を軸線方向に平行に延在せしめる（従って、切取領域２０は略矩形状である）こともでき、或いは傾斜して延びる２個の縦破断スコア２２の下端を直接的に接続する（従って、切取領域２０は逆２等片三角形状である）こともできる。縦破断スコア２２及び横破断スコア２４は円筒壁６の外周面（又は内周面）に溝を形成して残留厚さを低減せしめた形態でよい。
【００１５】
本発明に従って構成されたスパウト２においては、更に、頂面壁４にも切取領域２８が規定されていることが重要である。かかる切取領域２８は、上記一対の縦破断スコア２２間を除いて頂面壁４の周縁を円弧状に延びている弧状破断スコア３０によって規定されている。弧状破断スコア３０の片端は縦破断スコア２２の一方の上端に接続され、多端は縦破断スコア２２の他方の上端に接続されている。弧状破断スコア３０は頂面壁４の上面即ち外面（又は下面即ち内面）に溝を形成して残留厚さを低減した形態でよい。
【００１６】
更に、本発明に従って構成されたスパウト２においては、円筒壁６に規定された切取領域２０に把持片３２が付設されていることが重要である。図１、図３及び図５を参照することによって理解される如く、図示の実施形態においては、把持片３２は、切取領域２０の形状に対応した部位３４を介して切取領域２０に接続された接続部即ち上端部から軸線方向下方に向かって半径方向外方に傾斜して延び、次いで軸線方向下方に延びている垂下片から構成されている。把持片３２の下端部は略円形状に拡大されており、その内面は円錐形状の突出片３６を介して円筒壁６の外周面に分離可能に接続されている。
【００１７】
上述したとおりのスパウト２は、図１に図示する如く、その下部即ちパウチ装着手段１８を、内溶液が充填されているパウチ３８（その一部のみを図１に二点鎖線で図示する）の排出開口内に挿入され、パウチ３８の排出開口がパウチ装着手段１８の周囲に加熱溶着される。かくして、パウチ３８の排出開口にスパウト２が固定され、パウチ３８の排出開口が密封される。
【００１８】
パウチ３８の内容液を排出する際には、把持片３２の下端部を把持して把持片３２の下部を半径方向外方乃至上方に強制して、把持片３２の下端部に配設されている突出片３６の先端を破断して円筒壁６の外周面から分離せしめる。次いで、把持片３２を更に上方に強制する。かくすると、把持片３２の上端部を切取領域２０に接続している突出部３４を介して切取領域２０の横破断スコア２４及び一対の縦破断スコア２２に応力が生成され、これによって横破断スコア２４が破断され、次いで一対の縦破断スコア２２が下端から上端に向かって漸次破断される。かような横破断スコア２４及び一対の縦破断スコア２２の破断は、応力が比較的狭い限定された部位に集中して生成され、そしてまた把持片３２を上方に強制することにより横破断スコア２４及び一対の縦破断スコア２２に効果的に応力が加えられる故に、充分容易に実現され得る。
【００１９】
横破断スコア２４及び一対の縦破断スコア２２の破断に続いて、把持片３２を更に上方乃至半径方向反対側に強制すると、一対の縦破断スコア２２の一方又は両方に続いて弧状スコア３０がその片端から或いはその両端から漸次破断され、かくして切取領域２０及び切取領域２８が把持片３２と共にスパウト２の他の部位から切り離され、図６に明確に図示する如く、円筒壁６の上面が開口される。しかる後においては、開口された円筒壁６の上面を通して内容液を排出することができる。
【００２０】
図７は本発明に従って構成されたスパウトの変形例を図示している。図７に図示するスパウト１０２においては、頂面壁１０４に一対の縦破断スコア（図示していない）の一方（図７において上方に位置する縦破断スコア）の上端から頂面壁１０４内に弧状に延出する付加破断スコア１３１が形成されている。かようなスパウト１０２においては、一対の縦破断スコアの破断に続いて付加破断スコア１３１を破断し、次いで把持片１３２を図７において下方から反時計方向に漸次強制乃至変位することによって、弧状破断スコア１３０をその片端（図７において下方に位置する端）から他端に向けて円滑に破断を進行せしめることができる。
【００２１】
図８は本発明に従って構成されたスパウトの他の変形例を図示している。図８に図示するスパウト２０２においては、頂面壁２０４に一対の縦破断スコア（図示していない）の一方（図８において上方に位置する縦破断スコア）の上端から頂面壁２０４内に直線状に延出する付加破断スコア２３１が形成されている。かようなスパウト２０２においては、一対の縦破断スコアの破断に続いて付加破断スコア２３１を破断し、次いで把持片２３２を図７において下方から反時計方向に漸次強制乃至変位することによって、弧状破断スコア２３０をその片端（図８において下方に位置する端）から他端に向けて円滑に破断を進行せしめることができる。
【００２２】
図９及び図１０は本発明に従って構成されたスパウトの更に他の変形例を図示している。図９及び図１０に図示するスパウト３０２においては、把持片３３２は円筒壁３０６の上端部外周面に沿って延在しているリングから構成されている。リングから構成されている把持片３３２の、円筒壁３０６に規定されている切取領域３２０に対向して位置する部分の内周面は、切取領域３２０の形状に対応した形状の突出部３３４を介して切取領域３２０に接続されている。かようなスパウト３０２においては、パウチ内に収容されている内容液を排出する際には、把持片３３２の、切取領域３２０に対して直径方向反対側に位置する部位を把持して把持片３３２を上方及び直径方向反対側に向けて変位し、次いで必要に応じてリングから構成された把持片３３２に指を通し、把持片３３２を更に上方に強制して、横破断スコア及び縦破断スコア（図示していない）を破断し、そしてまた弧状破断スコア３３０を破断し、切取領域３２０及び３２８と共に把持片３３２をスパウト３０２の他の部分から切り取って円筒壁３０６の上面に開口を生成する。
【符号の説明】
【００２３】
２：スパウト
４：頂面壁
６：円筒壁
２０：切取領域
２２：縦破断スコア
２４：横破断スコア
２６：薄肉領域
２８：切取領域
３０：弧状破断スコア
３２：把持片
３８：パウチ
１０２：スパウト
１０４：頂面壁
１３０：弧状破断スコア
１３１：付加破断スコア
２０２：スパウト
２０４：頂面壁
２３０：弧状破断スコア
２３１：付加破断スコア
３０２：スパウト
３０６：円筒壁
３２０：切取領域
３３０：弧状破断スコア
３３２：把持片
【図１】
2011173615.tif 000003
【図２】
2011173615.tif 000004
【図３】
2011173615.tif 000005
【図４】
2011173615.tif 000006
【図５】
2011173615.tif 000007
【図６】
2011173615.tif 000008
【図７】
2011173615.tif 000009
【図８】
2011173615.tif 000010
【図９】
2011173615.tif 000011
【図１０】
2011173615.tif 000012